(57)【特許請求の範囲】
【請求項１】
通気パイプとの連結部を外壁の内部に有し、外壁から突出するように設置されている換気フード１を外壁面に取り付ける換気フード２に取り替える方法であって、
（ａ）外壁面に近接する位置で前記換気フード１を切断する工程、及び
（ｂ）工程（ａ）によって露出する換気口を覆うことのできる大きさの開口部と該開口部の外周に設けられた平板状の取付部とを有する換気フード２を、前記換気口を前記開口部で覆うように、前記取付部と外壁との間に防水部材を設けて配置し、前記取付部を介して外壁面に取り付ける工程
を含む、前記方法。
【発明の詳細な説明】
【技術分野】
【０００１】
本発明は、建物に取り付けられている換気フードを簡便に新しい換気フードに取り替える方法及びそのための換気フードに関する。
【背景技術】
【０００２】
商業用、工業用又は一般住宅用を問わず、建物の殆どには、換気又は排気のための通気パイプと、雨風の吹き込みを防止するために通気パイプの外側開口部にとりつけられる換気フードとを有する換気システムが設けられている。
【０００３】
換気システムの中には、通気パイプと換気フードとの連結部が建物の外壁の内部に埋め込まれた位置にあって、外壁側からも内壁側からも連結部を直接触れたり視認したりすることができないタイプのものがある。以下、このタイプの換気システムを構成する換気フードを、埋込型換気フードと称する。
【０００４】
従来、埋込型換気フードを取り替えるには、交換対象である換気フードが突出している部分の外壁を壊して連結部を露出させる、交換対象である換気フードを外して新たな換気フードを通気パイプに連結する、外壁を元に戻す、交換後の新たな換気フードと外壁との隙間をコーキング剤またはシーリング剤で目止めして防水加工する等の、多数の作業工程が必要である。当然、このような多工程を含む作業は、手間と費用を要する。
【発明の開示】
【発明が解決しようとする課題】
【０００５】
本発明は、埋込型換気フードを、簡便かつ安価に別の型の換気フードに取り替える方法を提供することを目的とするものである。
【課題を解決するための手段】
【０００６】
本発明者らは、鋭意工夫を重ねることで、下記の発明を完成させた。
【０００７】
（１）通気パイプとの連結部を外壁の内部に有し、外壁から突出するように設置されている換気フード１を外壁面に取り付ける換気フード２に取り替える方法であって、
（ａ）外壁面に近接する位置で前記換気フード１を切断する工程、及び
（ｂ）工程（ａ）によって露出する換気口を覆うことのできる大きさの開口部と該開口部の外周に設けられた平板状の取付部とを有する換気フード２を、前記換気口を前記開口部で覆うように、前記取付部と外壁との間に防水部材を設けて配置し、前記取付部を介して外壁面に取り付ける工程
を含む、前記方法。
（２）少なくとも一対の開口部と、一方の開口部の外周に設けられた平板状の取付部と、前記取付部に設けられた防水部材とを有する、建物の外壁面に取り付けられる換気フード。
【発明の効果】
【０００８】
本発明によれば、埋込型換気フードを、外壁を壊したり復元したりせずに別の型の換気フードへと取り替えることができ、作業工程の簡略化とコストの低減を図ることができる。
【図面の簡単な説明】
【０００９】
【図１】本発明の方法の工程（ａ）の一例を示す図である。
【図２】本発明の方法の工程（ｂ）の一例を示す図である。
【図３】本発明の換気フードを表す斜視図である。
【図４】本発明の換気フードの正面図（左）及び背面図（右）である。
【図５】本発明の換気フードの左側面図（左）及び右側面図（右）である
【図６】本発明の換気フードの底面図である。
【発明を実施するための形態】
【００１０】
本発明は、埋込型換気フードを別の新たな換気フードに取り替える方法及び該方法で新たに取り付けられる換気フードに関する。本発明の方法の一例を示す図１及び図２、並びに新たに取り付けられる換気フードの一例を示す図３〜図６を参照して、本発明を詳細に説明する。
【００１１】
図中、符号１は埋込型換気フード、符号２は新たに取り付けられる換気フード、符号３は外壁面、符号４は外壁、符号５は通気パイプ、符号６は換気フード１と通気パイプ５との連結部、符号７は換気フード１が取り外された後に露出する換気口、符号８は換気フード１の残部、符号９は新たに取り付けられる換気フード２の開口部、符号１０は換気フード２の取付部、符号１１は防水部材、符号１２は貫通孔、符号１３は金網である。
【００１２】
第１の態様にかかる発明は、通気パイプ５との連結部６を外壁４の内部に有し、外壁４から突出するように設置されている埋込型換気フード１を外壁面に取り付ける換気フード２に取り替える方法であって、
（ａ）外壁面３に近接する位置で前記換気フード１を切断する工程、及び、
（ｂ）工程（ａ）によって露出する換気口７を覆うことのできる大きさの開口部９と該開口部９の外周に設けられた平板状の取付部１０とを有する換気フード２を、前記換気口７を前記開口部９で覆うように、前記取付部１０と外壁４との間に防水部材１１を設けて配置し、前記取付部１０を介して外壁面３に取り付ける工程
を含む、前記方法に関する。
【００１３】
図１及び図２は、第１の態様にかかる発明に基づいてフードカバーを取り替える作業を、外壁の横方向から見た図で説明するものである。図１は工程（ａ）を、図２は工程（ｂ）をそれぞれ表す。
【００１４】
工程（ａ）において、埋込型換気フード１は外壁面３に近接する位置（図１左の矢印で示される位置）で切断される。切断位置に特に限定はないが、外壁面３にできるだけ近い位置であることが好ましい。また切断方法は、糸鋸、グラインダー又はバーナー等、埋込型換気フード１の材質に合わせて適宜選択すればよい。工程（ａ）によって、外壁４の内部における通気パイプとの連結部６から切断部分までからなる残部８以外の換気フード１は外壁４から取り外される。
【００１５】
工程（ｂ）は、工程（ａ）で換気フード１が切断される結果として露出する換気口７を覆うようにして、新たな換気フード２を外壁面３に取り付ける工程である。ここで換気フード２は、前記換気口７を覆うことのできる大きさの開口部９と、該開口部９の外周に設けられた平板状の取付部１０とを有する。
【００１６】
換気口７を覆うことのできる大きさの開口部９とは、換気口７の外縁を取り囲むことができる程度の大きさを有する開口部９である。開口部９の形状は、換気口７の外縁を取り囲むことができるかぎり、特に制限はない。
【００１７】
換気フード２は、上記開口部９の外周に設けられた平板状の取付部１０を有する。この取付部１０には、取付部１０とほぼ同じ形状及び大きさを有する防水部材１１が取付部１０全体にわたって設けられていることが好ましい。
【００１８】
防水部材１１は、換気フード２本体と外壁４との間に位置することで主に雨水の浸入を防ぐことができるものであればよく、典型的にはウレタン樹脂、エポキシ樹脂、ゴムその他の防水材からなるパッキン又はシーリング材等を挙げることができる。
【００１９】
防水部材１１は、換気フード２の加工成形時に適当な接着剤を用いて前記取付部１０に設けてもよく、また工事現場において適当な接着剤を用いて前記取付部１１に設けてもよい。
【００２０】
換気フード２は、工程（ａ）によって露出する換気口７を覆うようにして、防水部材１１を間に挟む形で、外壁面３に取付部１０を介して取り付けられる。取付部１０及び防水部材１１は、換気フード２を外壁面３に固定するための固定具、例えばボルト等を通す貫通孔１２（図４）が、適当な間隔を置いて設けられていることが好ましい。なお、換気フード２及び防水部材１１はかかる貫通孔１２を有していなくてもよく、この場合には、木ねじ、ビス、釘等を取付部１０及び防止部材１１を貫通させ、換気フード２を外壁面３に固定すればよい。
【００２１】
第１の態様にかかる方法によって、埋込型換気フードは外壁から突出する部分で切り取られ、外壁面に取り付けられる換気フードに変更される。この方法により、取り替え工事に要するコスト及び手間を大幅に低減することができ、従来の換気フードの取り替え工事に伴って生じ得る建物の外壁破損の問題を回避することができる。
【００２２】
第１の態様にかかる方法において利用される換気フード２は、先に説明した開口部及び取付部に加えて、適当な接着剤を用いて前記取付部に設けられる防水部材を有するものが好ましい。本出願は、かかる構造を有する換気フード２を第２の態様の発明として提供する。
【００２３】
すなわち第２の態様にかかる発明は、少なくとも一対の開口部と、一方の開口部の外周に設けられた平板状の取付部と、前記取付部に設けられた防水部材とを有する、建物の外壁面に取り付けられる換気フードに関する。
【００２４】
第２の態様にかかる換気フード２は、先に説明した第１の態様である取り替え方法において使用される換気フード２において、取付部に防水部材が設けられているものである。ここにおいて、換気フード２を構成する外壁面の換気口を覆う側の開口部、前記開口部の外周に設けられた平板状の取付部及び防水部材については、それぞれ第１の態様にかかる方法において説明したとおりの特徴を有する。また、本発明にかかる換気フード２は換気フードであることから、必然的に前記外壁面の換気口を覆う開口部とは別の開口部を有する。
【００２５】
第２の態様にかかる換気フード２は、上記の特徴を有するものであれば、その形状や、製造時の材料において特に制限はない。好ましい材料を例示すれば、アルミ、ステンレス、ＡＳＡ樹脂、ＡＢＳ樹脂、ＰＰ樹脂（ポリプロピレン）、ＰＥ樹脂（ポリエチレン）、ＡＥＳ樹脂、スチール、高耐食溶融めっき鋼板、ガルバリウム（登録商標）鋼板、亜鉛めっき鋼板等を挙げることができる。
【００２６】
また、換気フードの標準的な装備として、昆虫や鳥が通気パイプ等に侵入しないようにする格子または金網（図６の符号１３）を、外壁面の換気口を覆う側の開口部別の開口部に備えていることが好ましい。
【産業上の利用可能性】
【００２７】
第１の態様にかかる方法及び第２の態様にかかる換気フードはいずれも、建物の換気システムを構成する換気フードの取り替え作業において、産業上の利用可能性を有する。
【符号の説明】
【００２８】
１  換気フード１
２  換気フード２
３  外壁面
４  外壁
５  通気パイプ
６  連結部
７  通気口
８  換気フード１の残部
９  開口部
１０  取付部
１１  防水部材
１２  貫通孔
１３  金網
【図１】
0006767033.tif 000002
【図２】
0006767033.tif 000003
【図３】
0006767033.tif 000004
【図４】
0006767033.tif 000005
【図５】
0006767033.tif 000006
【図６】
0006767033.tif 000007